(57)【要約】【課題】ドレンパンのヘドロとドレン水とを分離し、ドレン水の回収量を少なくしてヘドロをドレンパンから回収可能に構成し、ドレンパンの清掃作業を連続的に行うことのできる空気調和機のドレンパン清掃具を得ることを目的とする。【解決手段】所定形状の底部１１、及び底部１１の縁部の連続する所定領域に、所定領域の一端から他端に至るように立設される起立部１２を有し、縁部の残部を取り込み部とする回収受け部２と、起立部１２に連結される柄部１７と、有し、水を通過させ、ヘドロの通過を阻止する通水穴が、底部１１と起立部１２の少なくとも一部に形成されている。【選択図】図１
2011075141.tif 000002
【特許請求の範囲】
【請求項１】
所定形状の底部、及び上記底部の縁部の連続する所定領域に、上記所定領域の一端から他端に至るように立設される起立部を有し、上記縁部の残部を取り込み部とする回収受け部と、上記起立部に連結される柄部と、を備え、
水を通過させ、ヘドロの通過を阻止する通水穴が、上記底部と上記起立部の少なくとも一部に形成されていることを特徴とする空気調和機のドレンパン清掃具。
【請求項２】
上記起立部は、上記底部からの高さが、上記所定領域の一端に向かって低くなる先細り形状に構成されていることを特徴とする請求項１記載の空気調和機のドレンパン清掃具。
【請求項３】
上記起立部の先細り形状に構成された部位の上記底部からの突出端が、弾性部材により構成されていることを特徴とする請求項２記載の空気調和機のドレンパン清掃具。
【発明の詳細な説明】
【技術分野】
【０００１】
この発明は、例えば、ファンコイルユニットなどの空気調和機のドレンパンの清掃に適した空気調和機のドレンパン清掃具に関する。
【背景技術】
【０００２】
従来の空調機ドレンパン清掃装置は、電気掃除機と、内外を連通する一対の連結孔が上部に形成されたドレン清掃装置と、一端側が一方の連結孔を介してドレン清掃装置に連結され、他端側が電気掃除機に連結される第１ホースと、一端側の開口が吸引口を構成し、他方の連結孔を介して他端側がドレン清掃装置に連結される第２ホースと、を備えている（例えば、非特許文献１参照）。
【０００３】
従来の空調機ドレンパン清掃装置を用いたドレンパンの清掃は、ドレンパンに溜まったヘドロや水などを、電気掃除機の吸引力により第２ホースの吸引口から吸引してドレン清掃装置内に導き、ドレン清掃装置内の底側に重力落下させて回収することで行われていた。
【先行技術文献】
【非特許文献】
【０００４】
【非特許文献１】発明協会公開技報公技番号９８−２９２７号
【発明の概要】
【発明が解決しようとする課題】
【０００５】
従来の空調機ドレンパン清掃装置を用いたドレンパンの清掃作業では、ドレン清掃装置内に回収されたヘドロと水の回収量を確認しながら行い、連結孔が塞がれる前に、一旦ドレンパンの清掃作業を中断してドレン清掃装置内からヘドロと水を取り除く必要がある。本来は、回収する必要のない水までもヘドロと同時にドレン清掃装置に回収しているので、ヘドロと水がすぐにドレン清掃装置内に溜まってしまい、短い間隔でドレンパンの清掃作業を中断しなければならない。これにより、ドレンパンの清掃作業の効率が低下してしまうという問題があった。
【０００６】
この発明は上記の課題を解決するためになされたものであり、ドレンパンのヘドロとドレン水とを分離し、ドレン水の回収量を少なくしてヘドロをドレンパンから回収可能に構成し、ドレンパンの清掃作業を連続的に行うことのできる空気調和機のドレンパン清掃具を得ることを目的とする。
【課題を解決するための手段】
【０００７】
この発明の空気調和機のドレンパン清掃具は、所定形状の底部、及び底部の縁部の連続する所定領域に、所定領域の一端から他端に至るように立設される起立部を有し、底部の縁部の残部を取り込み部とする回収受け部と、起立部に連結される柄部と、を備え、水を通過させ、ヘドロの通過を阻止する通水穴が、底部と起立部の少なくとも一部に形成されている。
【発明の効果】
【０００８】
この発明に係る空気調和機のドレンパン清掃具によれば、ドレンパンを清掃する際、取り込み部をドレンパンの底に押しあてながら取り込み部の前方に移動させて、ドレンパンのヘドロを取り込み部側から回収受け部内に入り込むようにすくい取ることができる。このとき、ヘドロとともに回収受け部に入り込んだドレン水の大部分は、通水穴を介してドレンパンに戻されるので、ドレン水の回収量を少なくしてドレンパンからヘドロを回収できる。これにより、ドレンパンの清掃作業を中断して回収容器内に回収した回収物を取り除く作業を頻繁に行う必要がなくなり、連続的にドレンパンの清掃作業を行うことができ、ドレンパンの清掃作業の効率が向上する。
【図面の簡単な説明】
【０００９】
【図１】この発明の一実施の形態に係る空気調和機のドレンパン清掃具の斜視図である。
【図２】この発明の一実施の形態に係る空気調和機のドレンパン清掃具の側面図である。
【図３】この発明の一実施の形態に係る空気調和機のドレンパン清掃具の上面図である。
【図４】ファンコイルユニットの一部破断斜視図である。
【図５】ファンコイルユニットが天井に設置された状態を示す断面図である。
【図６】この発明の一実施の形態に係る空気調和機のドレンパン清掃具を用いてファンコイルユニットの外部ドレンパンを清掃する作業について説明する断面図である。
【発明を実施するための形態】
【００１０】
以下、この発明を実施するための最良の形態について、図面を参照して説明する。
【００１１】
図１はこの発明の一実施の形態に係る空気調和機のドレンパン清掃具の斜視図、図２はこの発明の一実施の形態に係る空気調和機のドレンパン清掃具の側面図、図３はこの発明の一実施の形態に係る空気調和機のドレンパン清掃具の上面図である。
【００１２】
図１〜図３において、空気調和機のドレンパン清掃具１（以下、ドレンパン清掃具１とする）は、回収受け部２と、回収受け部２に連結される柄部１７と、により構成されている。
【００１３】
以下、回収受け部２の各構成について説明する。
回収受け部２は、支持体３と、支持体３に装着される水切り部材１０ａ，１０ｂと、により構成される。
まず、支持体３の構成について説明する。
支持体３は、外形及び内形ともに等脚台形の枠体に作製され、開口部が第１配設口４ａを構成する底枠部４、及び底枠部４の下底から立設される背部５を有する支持金具６と、第２配設口８を、背部５と底枠部４の一方の台形斜辺ととともに形成するように底枠部４と背部５とを連結する弾性部材７と、を有する。なお、底枠部４の上底と下底を連結する一対の辺のそれぞれを台形斜辺とする。
【００１４】
底枠部４は、各辺が所定の幅を有し、略全域で均一の厚みを有しているが、上底及び他方の台形斜辺の外縁部から所定幅の領域は、当該外縁部から内縁部に向かって厚みが０から漸次厚くなるように形成されて取り込み部４Ａを構成する。以下、底枠部４の上底側を構成する取り込み部４Ａの部位を第１取り込み部４ｂとし、他方の台形斜辺側を構成する取り込み部４Ａの部位を第２取り込み部４ｃとする。
【００１５】
背部５は、底枠部４の下底の長さに対応する長さの長辺を有する矩形平板状に作製されている。
【００１６】
弾性部材７は、シリコーンゴムなどを用い手棒状に作製されている。
【００１７】
次いで、支持体３の各構成の配設構造について説明する。
背部５が、その一方の長辺を底枠部４の下底に合わせて底枠部４に垂直に立設されて支持金具６が構成される。
さらに、弾性部材７の一端が、底枠部４の一方の斜辺と上底との連結部に連結され、他端が背部５の一方の短辺側、かつ下底からの突出端側の部位に連結されて支持体３が構成される。このとき、弾性部材７は緊張状態にあり、直角三角形の第２配設口８が、底枠部４の一方の台形斜辺、背部５、及び弾性部材７に囲まれる領域により形成される。
【００１８】
次いで、水切り部材１０ａ，１０ｂについて説明する。
水切り部材１０ａ，１０ｂは、ナイロンを材料に用いてシート状に形成される。また、水切り部材１０ａ，１０ｂには、水は通過させ、後述するファンコイルユニットなどの空気調和機のドレンパンに発生するヘドロの通過を阻止する開口面積の通水穴（図示せず）が、全域に形成されている。例えば、通水穴が正方形である場合、通水穴の開口面積が１ｍｍ２程度以下であれば、水は通過させるが、ヘドロの通過は阻止される。また、水切り部材１０ａ，１０ｂのそれぞれは、第１配設口４ａ及び第２配設口８の形状のそれぞれに対応する形状に形成されている。
【００１９】
次いで、回収受け部２の各構成の配設構造について説明する。
水切り部材１０ａが、第１配設口４ａを覆うように底枠部４に装着され、水切り部材１０ｂが、第２配設口８を覆うように背部５、底枠部４の一方の台形斜辺、及び弾性部材７に装着されて、回収受け部２が構成される。このとき、水切り部材１０ｂは、第２配設口８の外側に突出しないように装着されている。
【００２０】
そして、底部１１が底枠部４、及び水切り部材１０ａにより構成され、また、起立部１２が、背部５、及び水切り部材１０ｂと弾性部材７からなる側部１３により構成される。このように構成された回収受け部２では、起立部１２は、底部１１の縁部の連続する所定領域の一端から他端に至るまで立設され、底部１１の縁部のうち、起立部１２の立設部位を除いた残部が取り込み部４Ａとなる。以下、底部１１の起立部１２の立設側の面を底部１１の上面とする。
【００２１】
また、回収受け部２の取り込み部４Ａ側が、起立部１２に遮られずに開放され、取り込み口１５を構成している。そして、回収受け部２は、取り込み部４Ａの一端（第１取り込み部４ｂの一方の台形斜辺側の端部）に向かって起立部１２の側部１３の底部１１からの高さが漸次低くなる先細り状に構成されている。さらに、先細り状に構成された側部１３の底部１１からの突出端は、弾性部材７により構成されている。
【００２２】
次いで、柄部１７の構成について説明する。
柄部１７は木材からなり、それぞれ断面円形であり、把持部１７ａ、及び把持部１７ａより小径の連結部１７ｂを同軸に連結して構成される。
【００２３】
そして、ドレンパン清掃具１が、連結部１７ｂの一端を起立部１２に固定して一体化された柄部１７と回収受け部２により構成される。
【００２４】
次いで、ドレンパン清掃具１を用いて空気調和機としてのファンコイルユニットのドレンパンを清掃する作業について説明する。
まず、ファンコイルユニットの構成について説明する。
図４はファンコイルユニットの一部破断斜視図、図５はファンコイルユニットが天井に設置された状態を示す断面図である。
【００２５】
図４及び図５において、ファンコイルユニット２０は、天井設置型のものであり、ファンコイルユニット２０が設置される室３４の天井３５には、設置口３５ａ及び設置口３５ａの近傍に位置する保守口３５ｂが設けられている。また、保守用扉３７が、保守口３５ｂを開閉自在に天井３５に取り付けられている。
そして、ファンコイルユニット２０は、設置口３５ａに対応する天井裏３６の領域に配設されるユニット本体部２１と、ユニット本体部２１と設置口３５ａを介して対面するように天井３５に装着される化粧パネル２８と、を備える。
【００２６】
ユニット本体部２１は、天井裏３６の上部壁面（図示せず）に吊りボルト（図示せず）を介して吊り下げられる筺体２２と、ファンモータ２３と、コイル式の熱交換器２４と、熱交換器２４の下部に設けられ、熱交換器２４から滴下するドレン水を受けるドレンパン２５と、を備える。
【００２７】
筺体２２は、詳細には図示しないが、その下面に開口する筺体吸込口及び筺体吹出口を有し、筺体吸込口から筺体吹出口に至る通風路が内部に構成されている。また、熱交換器２４は、通風路に配置されている。さらに、一対の接続ポート２７ａ，２７ｂが、筺体２２の外側面に上下に離間して設けられ、詳細には図示しないが、一対の接続ポート２７ａ，２７ｂは、熱交換器２４のコイルの一端及び他端に接続されている。また、ファンモータ２３が、筺体２２内に配置され、ファンモータ２３の駆動により、筺体吸込口から吸い込まれた空気が、筺体吹出口から吹きだされるようになっている。
【００２８】
ドレンパン２５は、筺体２２に支持され、主要部が、熱交換器２４の下部に配置され、一部が、接続ポート２７ａ，２７ｂが設けられた筺体２２の外側面から筺体２２の外方に延在されている。以下、筺体２２の外方に延在されているドレンパン２５の部位を外部ドレンパン２５ａとする。このとき、一対の接続ポート２７ａ，２７ｂのうち、下方に位置する接続ポート２７ａは、外部ドレンパン２５ａの上方の近傍に位置している。また、外部ドレンパン２５ａの側壁には、排水口２５ｂが形成されている。
【００２９】
化粧パネル２８は、筺体２２の下面と相対させたときに、筺体吸込口及び筺体吹出口と相対する位置に吸込口２８ａ及び吹出口２８ｂを有する。また、フィルタ３０が吸込口２８ａに装着されている。
【００３０】
このように構成されたユニット本体部２１は、筺体２２の下面を設置口３５ａに向け、外部ドレンパン２５ａが保守口３５ｂの上方に位置するように天井裏３６に吊り下げられている。
また、化粧パネル２８が、設置口３５ａを介して筺体２２と相対するように室３４内側から天井３５に設置されている。
【００３１】
上記のように構成されたファンコイルユニット２０に対し、ドレン水を排水するための排水管３２が排水口２５ｂを介して外部ドレンパン２５ａに接続される。そして、ドレンパン２５に溜まったドレン水は、排水管３２内を流れて排水されるようになっている。
また、外部冷温水管３３が、一対の接続ポート２７ａ，２７ｂのそれぞれに接続される。なお、図示しないが、外部冷温水管３３の外周面全域には、断熱材が装着されている。さらに、図示しないポンプが、筺体２２の外部で冷やした冷水、または温めた温水を、一方の外部冷温水管３３から熱交換器２４のコイルに供給して当該コイルを経由させ、他方の外部冷温水管３３内を流すように配設されている。
【００３２】
ファンコイルユニット２０による室３４内の空調動作は、周知であるので詳細には説明しないが、例えば、冷房運転時、冷水を一方の外部冷温水管３３から熱交換器２４のコイルを経由して他方の外部冷温水管３３に向かう方向に流して熱交換器２４を冷却させるとともに、ファンモータ２３を駆動させる。これにより、吸込口２８ａから筺体吸込口を介して通風路に吸いこまれた室３４内の暖かい空気は、熱交換器２４で冷却され、筺体吹出口を介して吹出口２８ｂから吹き出されて室３４内が冷やされる。なお、暖房運転時には冷水の代わりに温水を熱交換器２４のコイルに流して熱交換器２４を通過する空気を暖めることで、室３４内が暖められる。
【００３３】
そして、ファンコイルユニット２０において、例えば、ドレンパン２５に溜まったヘドロによって排水口２５ｂが塞がれると、ドレン水が排水管３２から排水されなくなるので、定期的にドレンパン２５を清掃する必要がある。
【００３４】
以下、ドレンパン清掃具１を用いて外部ドレンパン２５ａを清掃する作業について説明する。
図６はこの発明の一実施の形態に係る空気調和機のドレンパン清掃具を用いてファンコイルユニットの外部ドレンパンを清掃する作業について説明する断面図である。
【００３５】
図５及び図６において、作業者は、まず、例えば脚立（図示せず）などに乗って保守用扉３７を開き、保守口３５ｂから予め室３４内に用意しておいた回収容器としてのバケツ（図示せず）を天井裏３６に載置する。
【００３６】
次いで、ドレンパン清掃具１の把持部１７ａを把持し、作業者は天井裏３６に保守口３５ｂから上半身を乗り出して底部１１の下面を外部ドレンパン２５ａの底に向けて、例えば、第１取り込み部４ｂを外部ドレンパン２５ａの底に押しあてる。さらに、第１取り込み部４ｂを外部ドレンパン２５ａに押しあてながら、第１取り込み部４ｂの前方にドレンパン清掃具１を移動させ、取り込み部４Ａ側（取り込み口１５）から回収受け部２に入り込むヘドロ４０をすくい取る。このとき、ドレン水も同時に回収受け部２に入り込むが、ドレン水のほとんどは水切り部材１０ａ，１０ｂの通水穴を介して外部ドレンパン２５ａに戻されてヘドロ４０が回収受け部２に残る。
【００３７】
ここで、前述したように、起立部１２の側部１３は、底部１１からの高さが、取り込み部４Ａの一端に向かって漸次低くなる先細り形状に構成されている。
これにより、外部ドレンパン２５ａと外部冷温水管３３との間が非常に狭い場合でも、回収受け部２の第１取り込み部４ｂ側を外部ドレンパン２５ａと外部冷温水管３３との間に挿入し、第１取り込み部４ｂを外部ドレンパン２５ａの底に押し付けながら移動させることで、外部冷温水管３３の下部に位置する外部ドレンパン２５ａ上のヘドロ４０を回収受け部２に回収可能である。
【００３８】
また、外部冷温水管３３が邪魔になって、外部ドレンパン２５ａの一部が見えにくい場合があっても、例えば、見えにくい外部ドレンパン２５ａの部位を含む領域に対して第１取り込み部４ｂを押して付けながらドレンパン清掃具１を移動させることで、目視確認を行わずとも、目視しづらい外部ドレンパン２５ａ上のヘドロ４０は、回収受け部２に確実に回収される。なお、状況に応じて、第１取り込み部４ｂの代わりに第２取り込み部４ｃを、見えにくい外部ドレンパン２５ａの部位を含む領域に押し付けながらドレンパン清掃具１を第２取り込み部４ｃの前方に移動させてもよい。
【００３９】
回収受け部２に回収したヘドロ４０は、用意したバケツ上で、底部１１の上面が下方に向けられるように、ドレンパン清掃具１をひっくり返し、バケツの開口縁部に柄部１７を叩きつけるなどして、バケツに移す。
外部ドレンパン２５ａの全領域のヘドロ４０がすくい取られてバケツに回収されるまで同様の作業を繰り返した後、外部ドレンパン２５ａの清掃作業を終了する。
【００４０】
なお、筺体２２内のドレンパン２５の部位は、例えば、化粧パネル２８を取り外し、筺体２２の下面を開放すれば、外部ドレンパン２５ａの場合と同様に清掃できる。
【００４１】
この実施の形態のドレンパン清掃具１は、矩形形状の底部１１、及び底部１１の縁部の連続する所定領域に、所定領域の一端から他端に至るように立設される起立部１２を有し、底部１１の縁部のうち、起立部１２の立設部位を除いた残部を取り込み部４Ａとする回収受け部２と、起立部１２に連結される柄部１７と、有し、水を通過させ、ヘドロの通過を阻止する通水穴を有する水きり部材１０ａ，１０ｂが、底部１１の主要部及び起立部１２の一部を構成している。
【００４２】
これにより、作業者は、ドレンパン２５を清掃する際、取り込み部４Ａをドレンパン２５の底に押しあてながら前方に移動させて、ドレンパン２５のヘドロを取り込み部４Ａ側から回収受け部２内に入り込むようにすくい取ることができる。このとき、ヘドロとともに回収受け部２に入り込んだドレン水の大部分は、通水穴を介してドレンパンに戻されるので、ドレンパン２５のヘドロとドレン水とを分離し、ドレン水の回収量を少なくして、予め用意したバケツにヘドロを回収することが可能となる。これにより、頻繁にドレンパンの清掃作業を中断して回収容器内の回収物を取り除く作業を行う必要がなくなり、連続的にドレンパンの清掃作業を行うことができ、ドレンパンの清掃作業の効率が向上される。
【００４３】
また、従来の空調機ドレンパン清掃装置では、電気掃除機を用いるので、商用電源を確保する必要があり、また、電気掃除機の駆動による大きな騒音が発生していたが、ドレンパン清掃具１を用いれば、商用電源を確保する必要もなく、また、大きな騒音を発生させることなく、ドレンパン２５の清掃作業を行える。
【００４４】
また、回収受け部２の起立部１２は、底部１１からの高さが、底部１１の縁部の所定領域の一端に向かって低くなる先細り形状に構成されている。これにより、例えば、外部ドレンパン２５ａと外部冷温水管３３との間が非常に狭い場合でも、外部ドレンパン２５ａと外部冷温水管３３との間に、底部１１の縁部の所定領域の一端に隣接する取り込み部４Ａ周辺の部位を差し込むことが可能となり、外部冷温水管３３と相対する外部ドレンパン２５ａ上のヘドロ４０を簡単に回収受け部２に回収できる。
【００４５】
また、起立部１２の先細り状に構成された部位の底部１１からの突出端が、弾性部材７により構成されている。外部ドレンパン２５ａの清掃作業中、例えば、弾性部材７が外部冷温水管３３の外周に装着された断熱材に当たっても断熱材に損傷を負わせることがなくなる。
【００４６】
なお、上記実施の形態では、通水穴を有する水切り部材１０ａ，１０ｂが底部１１及び起立部１２の両方に配設されるものとして説明したが、水切り部材１０ａ，１０ｂは、底部１１及び起立部１２の少なくとも一部に配設されていればよい。また、水切り部材１０ａ，１０ｂは、シート状のナイロンにより構成されるものとして説明したが、水切り部材は、例えば、金網などにより構成されていてもよい。この場合、金網の網目が通水穴を構成するが、水切り部材１０ａ，１０ｂの通水穴と同様、金網の通水穴の大きさは、水は通過させ、ヘドロ４０の通過を阻止するように設定すればよい。いずれにしても、底部１１と起立部１２の少なくとも一部に通水穴が形成されていればよく、これにより、ドレンパン２５のヘドロ４０とドレン水とを分離し、ドレン水の回収量を少なくしてヘドロ４０を回収できるという効果が得られる。
【００４７】
また、回収受け部を構成する底部、及び起立部は、底部１１及び起立部１２の形状を有するものを用いるものに限定されない。例えば、底部の外形を、半円形や、矩形形状の他の多角形にし、起立部を底部の縁部の所定領域の一端から他端に至るように連続する底部の縁部の所定領域に立設して、回収受け部を構成してもよい。
【００４８】
また、起立部１２は、底部１１からの高さが、取り込み部４Ａの一端に向かって漸次低くなる先細り形状に構成されるものとして説明したが、例えば、起立部１２の底部１１からの高さは、均一であってもよく、この場合でもヘドロ４０とドレン水とを分離してヘドロ４０を回収できるという効果は得られる。
【００４９】
また、弾性部材７は、シリコーンゴムにより作製されるものに限定されず、天然ゴムなど、他の材料により作製されていてもよい。
また、起立部１２の底部１１からの突出端は、弾性部材７により構成されるものに限定されず、例えば、起立部１２の底部１１からの突出端が、外部冷温水管３３の外周に装着された断熱材などに当たって損傷させる心配がなければ、起立部１２の底部１１からの突出端を鉄製などの硬質な部材で構成してもよい。
【００５０】
また、ドレンパン清掃具は、空気調和機中央式空気調和機のファンコイルユニットのドレンパンに対して適用するものとして説明したが、個別式空気調和機のパッケージエアコンディショナなどのドレンパンの清掃に対しても適用できる。
【符号の説明】
【００５１】
１  空気調和機のドレンパン清掃具、２  回収受け部、４Ａ  取り込み部、７  弾性部材、１１  底部、１２  起立部、１７  柄部。
【図１】
2011075141.tif 000003
【図２】
2011075141.tif 000004
【図３】
2011075141.tif 000005
【図４】
2011075141.tif 000006
【図５】
2011075141.tif 000007
【図６】
2011075141.tif 000008